(57)【要約】【課題】実際に画像が存在する領域のみを対象として映像信号を処理する映像信号処理装置を提供する。【解決手段】黒帯検出部３は、フレームの第１の端部に位置する第１の黒帯領域の第１の幅と第２の端部に位置する第２の黒帯領域の第２の幅の情報を含む黒帯検出信号Ｓ３を生成する。領域分類部４は、黒帯検出信号Ｓ３に基づいて、第１及び第２の黒帯領域を黒帯領域に分類し、第１の幅と第２の幅との差が閾値以上異なっているとき、第１の黒帯領域と第２の黒帯領域とのうち幅の広い方の黒帯領域の幅を、幅の狭い方の黒帯領域が存在する端部側に設定し、設定した幅のうち幅の狭い方の黒帯領域の幅を除く領域を準黒帯領域に分類し、黒帯領域及び準黒帯領域以外の領域を画像が存在する実画像領域に分類して、分類信号を生成する。信号処理部（補間信号生成部５）は、分類信号Ｓ４に基づいて、分類された領域ごとに入力映像信号Ｓｉｎに対する処理を異ならせる。【選択図】図１
2019062365.tif 000002
【特許請求の範囲】
【請求項１】
入力映像信号のフレームの上下端部と左右端部との少なくとも一方である第１の端部と第２の端部に黒帯領域が存在するか否かを検出し、黒帯領域が存在することが検出されたとき、前記第１の端部に位置する第１の黒帯領域の第１の幅と前記第２の端部に位置する第２の黒帯領域の第２の幅の情報を含む黒帯検出信号を生成する黒帯検出部と、
前記黒帯検出信号に基づいて、前記フレーム内の領域のうち、前記第１及び第２の黒帯領域を黒帯領域に分類し、前記第１の幅と前記第２の幅との差が所定の閾値以上異なっているとき、前記第１の黒帯領域と前記第２の黒帯領域とのうち幅の広い方の黒帯領域の幅を、前記第１の黒帯領域と前記第２の黒帯領域とのうち幅の狭い方の黒帯領域が存在する端部側に設定して、設定した幅のうち前記幅の狭い方の黒帯領域の幅を除く領域を準黒帯領域に分類し、前記黒帯領域及び前記準黒帯領域以外の領域を画像が存在する実画像領域に分類して、分類信号を生成する領域分類部と、
前記分類信号に基づいて、前記フレーム内の前記黒帯領域に分類された領域と前記準黒帯領域に分類された領域と前記実画像領域に分類された領域とで、前記入力映像信号に対する処理を異ならせる信号処理部と、
を備えることを特徴とする映像信号処理装置。
【請求項２】
前記信号処理部は、前記準黒帯領域に分類された領域内の画素の輝度レベルが前記黒帯領域に分類された領域内の画素の輝度レベルに相当するとき、前記準黒帯領域を黒帯領域とみなして、前記入力映像信号を処理することを特徴とする請求項１に記載の映像信号処理装置。
【請求項３】
前記入力映像信号を１フレーム期間遅延して遅延映像信号を生成するフレームメモリと、
前記入力映像信号と前記遅延映像信号とを用いて、前記入力映像信号の動きベクトルを検出する動きベクトル検出部と、
を備え、
前記信号処理部は、前記動きベクトルに基づいて、前記入力映像信号と前記遅延映像信号との間に内挿する補間フレームを構成する各画素位置の補間信号を生成する補間信号生成部であり、
前記補間信号生成部は、前記フレーム内の前記黒帯領域に分類された領域と前記準黒帯領域に分類された領域と前記実画像領域に分類された領域とで、補間信号を生成する処理を異ならせる
ことを特徴とする請求項１または２に記載の映像信号処理装置。
【発明の詳細な説明】
【技術分野】
【０００１】
本発明は、フレーム内に黒帯領域を含む映像信号を処理する映像信号処理装置に関する。
【背景技術】
【０００２】
アスペクト比１６：９のフレームの上下端部を黒帯領域とし、垂直方向の中央部に映画の標準アスペクト比である１．３７５：１の映像を配置したレターボックス形式の映像信号がある。アスペクト比１６：９のフレームの左右端部を黒帯領域とし、水平方向の中央部にＮＴＳＣ方式の標準アスペクト比である４：３の映像を配置した映像信号がある。フレームの上下端部及び左右端部が黒帯領域となっている映像信号も存在する。
【０００３】
映像信号処理装置がフレーム内に黒帯領域を含む映像信号を処理するときに、黒帯領域を除く実際に画像が存在する領域のみを対象として処理する必要があることがある。そのためには、映像信号処理装置は、黒帯領域の有無、及び、黒帯領域が存在する範囲を検出する黒帯検出部を備えることが必要である。特許文献１には、黒帯領域の有無、及び、黒帯領域が存在する範囲を検出する手法の一例が記載されている。
【先行技術文献】
【特許文献】
【０００４】
【特許文献１】特開平１０−２１０３７７号公報
【発明の概要】
【発明が解決しようとする課題】
【０００５】
ディスプレイ機器に映像再生機器が接続されており、映像再生機器が再生した黒帯領域を含む映像信号がディスプレイ機器に供給されることがある。このとき、映像再生機器が映像信号に付加情報として各種のＯＳＤ（On Screen Display）画像を重畳することがある。ディスプレイ機器に搭載されている映像信号処理装置の黒帯検出部が、黒帯領域が存在する範囲を検出しようとするときに、黒帯領域内にＯＳＤ画像が重畳されていると、黒帯領域が存在する範囲を誤検出することがある。
【０００６】
黒帯領域が存在する範囲を誤検出するということは、実際に画像が存在する領域を誤検出するということである。映像信号処理装置が、実際に画像が存在する領域のみを対象として映像信号を処理するとき、実際に画像が存在する領域を誤検出していれば映像信号が誤って処理されてしまう。
【０００７】
本発明は、黒帯領域内に付加情報が重畳されていても黒帯領域が存在する範囲の誤検出を減少させて、実際に画像が存在する領域のみを対象として映像信号を処理することができる映像信号処理装置を提供することを目的とする。
【課題を解決するための手段】
【０００８】
本発明は、入力映像信号のフレームの上下端部と左右端部との少なくとも一方である第１の端部と第２の端部に黒帯領域が存在するか否かを検出し、黒帯領域が存在することが検出されたとき、前記第１の端部に位置する第１の黒帯領域の第１の幅と前記第２の端部に位置する第２の黒帯領域の第２の幅の情報を含む黒帯検出信号を生成する黒帯検出部と、前記黒帯検出信号に基づいて、前記フレーム内の領域のうち、前記第１及び第２の黒帯領域を黒帯領域に分類し、前記第１の幅と前記第２の幅との差が所定の閾値以上異なっているとき、前記第１の黒帯領域と前記第２の黒帯領域とのうち幅の広い方の黒帯領域の幅を、前記第１の黒帯領域と前記第２の黒帯領域とのうち幅の狭い方の黒帯領域が存在する端部側に設定して、設定した幅のうち前記幅の狭い方の黒帯領域の幅を除く領域を準黒帯領域に分類し、前記黒帯領域及び前記準黒帯領域以外の領域を画像が存在する実画像領域に分類して、分類信号を生成する領域分類部と、前記分類信号に基づいて、前記フレーム内の前記黒帯領域に分類された領域と前記準黒帯領域に分類された領域と前記実画像領域に分類された領域とで、前記入力映像信号に対する処理を異ならせる信号処理部とを備えることを特徴とする映像信号処理装置を提供する。
【発明の効果】
【０００９】
本発明の映像信号処理装置によれば、黒帯領域内に付加情報が重畳されていても黒帯領域が存在する範囲の誤検出を減少させて、実際に画像が存在する領域のみを対象として映像信号を処理することができる。
【図面の簡単な説明】
【００１０】
【図１】第１実施形態の映像信号処理装置を示すブロック図である。
【図２】フレームの上下端部及び左右端部が黒帯領域となっている映像信号を示す図である。
【図３】図２に示す映像信号にＯＳＤ画像が重畳された状態の一例を示す図である。
【図４】補間信号生成部が誤った黒帯検出信号に基づいて補間信号を生成した状態の一例を示す図である。
【図５】第１及び第２実施形態の映像信号処理装置が図２に示す映像信号のフレームを黒帯領域と準黒帯領域と実画像領域とに分類した状態を示す図である。
【図６】第１及び第２実施形態の映像信号処理装置が、上下端部が黒帯領域となっている映像信号のフレームを黒帯領域と準黒帯領域と実画像領域とに分類した状態を示す図である。
【図７】第１及び第２実施形態の映像信号処理装置が、左右端部が黒帯領域となっている映像信号のフレームを黒帯領域と準黒帯領域と実画像領域とに分類した状態を示す図である。
【図８】第１及び第２実施形態の映像信号処理装置が、準黒帯領域を設定しない映像信号の例を示す図である。
【図９】第１及び第２実施形態の映像信号処理装置における補間信号生成部の処理の一例を示すフローチャートである。
【図１０】第２実施形態の映像信号処理装置を示すブロック図である。
【図１１】第３実施形態の映像信号処理装置を示すブロック図である。
【発明を実施するための形態】
【００１１】
以下、各実施形態の映像信号処理装置について、添付図面を参照して説明する。第１及び第２実施形態は、信号処理部として、補間フレームを構成する各画素位置の補間信号を生成する補間信号生成部を備える映像信号処理装置を例とする。第３実施形態は、補間信号生成部以外の信号処理部を備える映像信号処理装置を例とする。
【００１２】
＜第１実施形態＞
図１において、入力された映像信号Ｓｉｎは、フレームメモリ１、動きベクトル検出部２、黒帯検出部３、補間信号生成部５に供給される。補間信号生成部５は信号処理部の一例である。フレームメモリ１は、映像信号Ｓｉｎを１フレーム期間遅延させる。映像信号Ｓｉｎのフレームを現在フレームのフレームＦ０、フレームメモリ１より出力される映像信号のフレームを１フレーム遅延のフレームＦ１とする。フレームＦ１の映像信号（遅延映像信号）は、動きベクトル検出部２及び補間信号生成部５に供給される。
【００１３】
動きベクトル検出部２は、フレームＦ０内の複数の画素よりなるブロックとフレームＦ１内の複数の画素よりなるブロックとの差分値を算出し、差分値の小さい方向に基づいて、映像信号Ｓｉｎの動きベクトルＭＶを検出する。動きベクトル検出部２は、フレームＦ０内の画素とフレームＦ１内の画素との差分値を算出し、その差分値の絶対値を算出し、ブロックごとにその差分値の総和を求めることでブロック間の差分値を算出することができる。動きベクトルＭＶは、補間信号生成部５に供給される。
【００１４】
補間信号生成部５は、フレームＦ０内の画素とフレームＦ１内の画素とに基づいて、フレームＦ０とフレームＦ１との間に内挿する補間フレームＦ０．５を構成する各画素位置の補間信号（補間画素）を生成する。補間信号生成部５は、補間信号よりなる映像信号Ｓｏｕｔを出力する。後に詳述するように、補間信号生成部５は、領域分類部４より供給された分類信号Ｓ４に基づいて、補間信号の生成処理を異ならせる。
【００１５】
黒帯検出部３は、公知の手法によって黒帯領域の有無、及び、黒帯領域が存在する範囲を検出する。一例として、黒帯検出部３は、輝度レベルが所定の閾値以下であって、水平方向の１ラインの全画素のうちの所定の割合以上のラインを上下の黒帯と検出し、垂直方向の１ラインの全画素のうちの所定の割合以上のラインを左右の黒帯と検出する。映像信号Ｓｉｎを８ビットとしたとき、閾値を例えば１０、割合を例えば９５％のように適宜に設定すればよい。
【００１６】
図２に示すフレームの上下端部及び左右端部が黒帯領域となっている映像信号を例とする。黒帯検出部３は、黒帯領域が存在することを検出したら、フレームの上端部に位置する上黒帯領域Ｂ１の垂直終了位置Ｂ１end、フレームの下端部に位置する下黒帯領域Ｂ２の垂直開始位置Ｂ２startを検出する。垂直終了位置Ｂ１end及び垂直開始位置Ｂ２startは、フレーム上端部からのライン番号で表すことができる。
【００１７】
また、黒帯検出部３は、フレームの左端部に位置する左黒帯領域Ｂ３の水平終了位置Ｂ３end、フレームの右端部に位置する右黒帯領域Ｂ４の水平開始位置Ｂ４startを検出する。水平終了位置Ｂ３end及び水平開始位置Ｂ４startは、フレーム左端部からの画素番号で表すことができる。
【００１８】
図２において、上黒帯領域Ｂ１、下黒帯領域Ｂ２、左黒帯領域Ｂ３、右黒帯領域Ｂ４で囲まれた領域は非黒帯領域であり、実際に画像が存在する実画像領域Ａimgである。実画像領域Ａimgは動画像であり、静止画像が含まれていることがあってもよい。
【００１９】
さらに、黒帯検出部３は、上黒帯領域Ｂ１の幅ＶＷ、下黒帯領域Ｂ２の幅ＶＷ、左黒帯領域Ｂ３の幅ＨＷ、右黒帯領域Ｂ４の幅ＨＷを検出する。幅ＶＷはライン数で表すことができ、幅ＨＷは画素数で表すことができる。上黒帯領域Ｂ１及び下黒帯領域Ｂ２の幅ＶＷは同じ幅であり、左黒帯領域Ｂ３及び右黒帯領域Ｂ４の幅ＨＷは同じ幅であることを前提とする。勿論、上黒帯領域Ｂ１及び下黒帯領域Ｂ２の幅ＶＷ、左黒帯領域Ｂ３及び右黒帯領域Ｂ４の幅ＨＷが誤差の範囲内で異なっていてもよい。
【００２０】
以上のように、黒帯検出部３が検出した垂直終了位置Ｂ１end、垂直開始位置Ｂ２start、水平終了位置Ｂ３end、水平開始位置Ｂ４start、上黒帯領域Ｂ１及び下黒帯領域Ｂ２の幅ＶＷ、左黒帯領域Ｂ３及び右黒帯領域Ｂ４の幅ＨＷの各情報を含む黒帯検出信号Ｓ３は、領域分類部４に供給される。
【００２１】
黒帯検出信号Ｓ３は、上黒帯領域Ｂ１及び下黒帯領域Ｂ２の幅ＶＷ、左黒帯領域Ｂ３及び右黒帯領域Ｂ４の幅ＨＷを示すいずれかの情報を含めばよい。黒帯検出信号Ｓ３は、垂直終了位置Ｂ１end及び垂直開始位置Ｂ２startを示すライン番号、及び、水平終了位置Ｂ３end及び水平開始位置Ｂ４startを示す画素番号のみであってもよいし、幅ＶＷのライン数及び幅ＨＷの画素数のみであってもよい。
【００２２】
図２は、上黒帯領域Ｂ１、下黒帯領域Ｂ２、左黒帯領域Ｂ３、右黒帯領域Ｂ４のいずれにも映像再生機器でＯＳＤ画像が重畳されていない映像信号を示している。一例として、入力された映像信号Ｓｉｎが、図３に示すように、フレーム内の左下端部に、三角マークのＯＳＤ画像Ｃosdが重畳されている映像信号であるとする。
【００２３】
このとき、図３に示すように、黒帯検出部３は、ＯＳＤ画像Ｃosdが重畳されていることによって、下黒帯領域Ｂ２の垂直開始位置Ｂ２start、及び、左黒帯領域Ｂ３の水平終了位置Ｂ３endを誤検出したとする。黒帯検出部３は、フレームの下端部からＯＳＤ画像Ｃosdの下端部までの幅ＶＮを幅ＶＷと誤検出し、フレームの左端部からＯＳＤ画像Ｃosdの左端部までの幅ＨＮを幅ＨＷと誤検出している。
【００２４】
幅ＶＮとは、上黒帯領域Ｂ１と下黒帯領域Ｂ２とのうちの一方の黒帯領域で検出された黒帯領域の幅であり、他方の黒帯領域で検出された黒帯領域の幅ＶＷよりも所定の閾値以上小さく検出された幅である。幅ＨＮとは、左黒帯領域Ｂ３と右黒帯領域Ｂ４とのうちの一方の黒帯領域で検出された黒帯領域の幅であり、他方の黒帯領域で検出された黒帯領域の幅ＨＷよりも所定の閾値以上小さく検出された幅である。
【００２５】
領域分類部４には、それぞれ誤検出された、垂直開始位置Ｂ２start、水平終了位置Ｂ３end、下黒帯領域Ｂ２の幅ＶＷ、左黒帯領域Ｂ３の幅ＨＷを含む黒帯検出信号Ｓ３が供給される。
【００２６】
仮に、補間信号生成部５が図３のように誤った黒帯検出信号Ｓ３に基づいて補間信号を生成すると、誤補間が発生する。誤った黒帯検出信号Ｓ３によれば、図３における実画像領域Ａimgの下端部から垂直開始位置Ｂ２startまでの領域であって、水平終了位置Ｂ３endから水平開始位置Ｂ４startまでの領域は黒帯領域であるにもかかわらず、黒帯領域と判定されていない。
【００２７】
また、誤った黒帯検出信号Ｓ３によれば、図３における実画像領域Ａimgの左端部から水平終了位置Ｂ３endまでの領域であって、垂直終了位置Ｂ１endから垂直開始位置Ｂ２startまでの領域も黒帯領域であるにもかかわらず、黒帯領域と判定されていない。
【００２８】
従って、補間信号生成部５が誤った黒帯検出信号Ｓ３に基づいて補間信号を生成すると、図４に示すように、実画像領域Ａimg内に、黒帯領域内の黒の画素を用いて誤って動補間された誤補間画像Ｄａが発生し、左黒帯領域Ｂ３内に、実画像領域Ａimg内の画素を用いて誤って動補間された誤補間画像Ｄｂ３が発生する。誤補間画像Ｄａ及びＤｂ３の発生場所及び形状は、動きベクトルＭＶに応じて変化し、図４に示す発生場所及び形状は単なる一例である。
【００２９】
図１に戻り、誤補間画像Ｄａ及びＤｂ３の発生を防止するために、領域分類部４は、入力された黒帯検出信号Ｓ３に基づいてフレーム内の領域を分類し、次のように分類信号Ｓ４を生成する。
【００３０】
前述のように、第１実施形態においては、上黒帯領域Ｂ１及び下黒帯領域Ｂ２の幅ＶＷは同じ幅であり、左黒帯領域Ｂ３及び右黒帯領域Ｂ４の幅ＨＷは同じ幅であることを前提としている。そこで、領域分類部４は、上黒帯領域Ｂ１の幅ＶＷと下黒帯領域Ｂ２の幅ＶＷ（幅ＶＮ）とが誤差の範囲を超えて閾値以上異なっているとき、図５に示すように、黒帯検出部３がフレームの下端部からＯＳＤ画像Ｃosdの下端部までの幅ＶＮを幅ＶＷと誤検出したとみなす。
【００３１】
また、領域分類部４は、左黒帯領域Ｂ３の幅ＨＷ（幅ＨＮ）と右黒帯領域Ｂ４の幅ＨＷとが誤差の範囲を超えて閾値以上異なっているとき、図５に示すように、黒帯検出部３がフレームの左端部からＯＳＤ画像Ｃosdの左端部までの幅ＨＮを幅ＨＷと誤検出したとみなす。
【００３２】
ここでは、下黒帯領域Ｂ２の幅ＶＷが上黒帯領域Ｂ１の幅ＶＷよりも閾値以上小さく検出されているので、領域分類部４は、上黒帯領域Ｂ１で検出された幅ＶＷと同じ幅をフレームの下端部側に設定する。そして、図５に示すように、領域分類部４は、フレームの下端から幅ＶＷの位置から垂直開始位置Ｂ２startまでの領域であって、水平終了位置Ｂ３endから水平開始位置Ｂ４startまでの領域を、黒帯領域の可能性が高いと想定される準黒帯領域Ｂ２０に設定する。
【００３３】
また、左黒帯領域Ｂ３の幅ＨＷが右黒帯領域Ｂ４の幅ＨＷよりも閾値以上小さく検出されているので、領域分類部４は、右黒帯領域Ｂ４で検出された幅ＨＷと同じ幅をフレームの左端部側に設定する。そして、図５に示すように、領域分類部４は、水平終了位置Ｂ３endから、フレームの左端から幅ＨＷの位置までの領域であって、垂直終了位置Ｂ１endから垂直開始位置Ｂ２startまでの領域を準黒帯領域Ｂ３０に設定する。
【００３４】
領域分類部４は、上黒帯領域Ｂ１と下黒帯領域Ｂ２とのうち幅の広い方の黒帯領域の幅ＶＷを、幅の狭い方の黒帯領域が存在する端部側に設定すればよい。領域分類部４は、左黒帯領域Ｂ３と右黒帯領域Ｂ４とのうち幅の広い方の黒帯領域の幅ＨＷを、幅の狭い方の黒帯領域が存在する端部側に設定すればよい。領域分類部４は、設定した幅のうち幅の狭い方の黒帯領域の幅を除く領域を準黒帯領域に設定すればよい。
【００３５】
このようにして、領域分類部４は、フレーム内の領域を、上黒帯領域Ｂ１、下黒帯領域Ｂ２、左黒帯領域Ｂ３、及び右黒帯領域Ｂ４よりなる黒帯領域と、準黒帯領域Ｂ２０及びＢ３０よりなる準黒帯領域と、これら以外の実画像領域Ａimgとに分類する。
【００３６】
図６に示すように、フレームの上下端部のみが黒帯領域（上黒帯領域Ｂ１及び下黒帯領域Ｂ２）となっている映像信号の場合には、領域分類部４は、フレームの下端から幅ＶＷの位置から垂直開始位置Ｂ２startまでの領域を準黒帯領域Ｂ２０に設定する。
【００３７】
図７に示すように、フレームの左右端部のみが黒帯領域（左黒帯領域Ｂ３及び右黒帯領域Ｂ４）となっている映像信号の場合には、領域分類部４は、水平終了位置Ｂ３endから、フレームの左端から幅ＨＷの位置までの領域を準黒帯領域Ｂ３０に設定する。
【００３８】
ＯＳＤ画像Ｃosdが上黒帯領域Ｂ１に重畳されて、上黒帯領域Ｂ１の幅が誤検出された場合には、領域分類部４は、上黒帯領域Ｂ１内に準黒帯領域を設定する。ＯＳＤ画像Ｃosdが右黒帯領域Ｂ４に重畳されて、右黒帯領域Ｂ４の幅が誤検出された場合には、領域分類部４は、右黒帯領域Ｂ４内に準黒帯領域を設定する。
【００３９】
ところで、図８に示すように、フレームの下端部のみが黒帯領域（下黒帯領域Ｂ２）となっている映像信号がある。黒帯検出部３が図８に示す映像信号を検出して、フレームの下端部のみに黒帯領域が存在し、上端部には黒帯領域が存在しないか、所定の幅以下の極めて狭い黒帯領域しか存在しないことを検出したとする。このような場合には、領域分類部４は、準黒帯領域を設定しないようにするのがよい。
【００４０】
補間信号生成部５は、分類信号Ｓ４に基づいて、生成しようとする補間信号の画素位置がフレームＦ０の黒帯領域内に位置するか、準黒帯領域内に位置するか、実画像領域Ａimg内に位置するかによって補間信号の生成処理を異ならせる。
【００４１】
図９を参照しながら、補間信号生成部５の具体的な動作を説明する。図９において、補間信号生成部５は、ステップＳ５１にて、生成しようとする補間信号の画素位置がフレームＦ０の黒帯領域内であるか否かを判定する。画素位置が黒帯領域内であれば（YES）、補間信号生成部５は、ステップＳ５２にて、生成しようとする補間信号の画素位置と同じ画素位置の、フレームＦ０及びＦ１における黒帯領域内の画素を用いて静止補間して補間信号を生成する。
【００４２】
換言すれば、補間信号生成部５は、画素位置が黒帯領域内であれば、準黒帯領域内及び実画像領域Ａimg内の画素を用いて補間信号を生成しない。
【００４３】
ステップＳ５１にて生成しようとする補間信号の画素位置が黒帯領域内でなければ（NO）、補間信号生成部５は、ステップＳ５３にて、画素位置がフレームＦ０の準黒帯領域内であるか否かを判定する。画素位置が準黒帯領域内であれば（YES）、補間信号生成部５は、ステップＳ５４にて、生成しようとする補間信号の画素位置と同じ画素位置の、フレームＦ０及びＦ１における準黒帯領域内の画素がいずれも黒であるか否かを判定する。
【００４４】
黒であるか否かの判定とは、画素が、黒帯検出部３が黒帯であると検出する上記の閾値以下の輝度レベルであるか否かを判定することである。準黒帯領域に分類された領域内の画素の輝度レベルが黒帯領域に分類された領域内の画素の輝度レベルに相当すれば、準黒帯領域は実際には黒帯領域ということになる。
【００４５】
ステップＳ５４にてフレームＦ０及びＦ１における準黒帯領域内の画素がいずれも黒であれば（YES）、準黒帯領域は黒帯領域とみなすことができる。そこで、補間信号生成部５は、ステップＳ５２にて、生成しようとする補間信号の画素位置と同じ画素位置の、フレームＦ０及びＦ１における準黒帯領域内の画素を用いて静止補間して補間信号を生成する。
【００４６】
ステップＳ５４にてフレームＦ０及びＦ１における準黒帯領域内の画素のいずれかが黒でなければ（NO）、準黒帯領域は黒帯領域とみなすことができない。そこで、補間信号生成部５は、ステップＳ５６にて、動きベクトルＭＶに基づいて、フレームＦ０及びＦ１における準黒帯領域または実画像領域Ａimg内の画素を用いて動補間して補間信号を生成する。
【００４７】
準黒帯領域が黒帯領域である可能性を考慮して、補間信号生成部５は、ステップＳ５６にて次のようにして補間信号を生成してもよい。補間信号生成部５は、動きベクトルＭＶが指し示す方向のフレームＦ０及びＦ１の画素の差分値を求める。差分値が所定の閾値以上であれば、動きベクトルＭＶは誤検出の可能性が高い。そこで、差分値が所定の閾値以上であれば、補間信号生成部５は、生成しようとする補間信号の画素位置と同じ画素位置の、フレームＦ０及びＦ１における準黒帯領域内の画素を用いて静止補間して補間信号を生成する。
【００４８】
または、補間信号生成部５は、ステップＳ５６にて、動きベクトルＭＶに基づいて動補間した補間信号と静止補間した補間信号とを混合して補間信号を生成してもよい。
【００４９】
ステップＳ５３にて画素位置が準黒帯領域内でなければ（NO）、画素位置は実画像領域Ａimg内ということである。補間信号生成部５は、ステップＳ５５にて、動きベクトルＭＶに基づいて、フレームＦ０及びＦ１における実画像領域Ａimg内の画素を用いて動補間して補間信号を生成する。
【００５０】
このとき、補間信号生成部５は、黒帯領域及び準黒帯領域内の画素を用いて補間信号を生成しない。または、補間信号生成部５は、準黒帯領域が黒帯領域とみなすことができる場合には準黒帯領域内の画素を用いて補間信号を生成せず、準黒帯領域が黒帯領域とみなすことができない場合には準黒帯領域を用いて補間信号を生成してもよい。
【００５１】
補間信号生成部５は、少なくとも、動きベクトルＭＶに基づいて動補間する動補間回路と、静止補間する静止補間回路と、動補間回路による補間信号と静止補間回路による補間信号とを選択するスイッチとを備えて構成することができる。スイッチは、図９で説明した条件に応じて、動補間回路による補間信号と静止補間回路による補間信号とを選択すればよい。
【００５２】
また、補間信号生成部５は、動補間回路、静止補間回路と、スイッチに加えて、動補間回路による補間信号と静止補間回路による補間信号とを混合する混合回路を備えて構成することができる。混合回路は、動補間回路による補間信号の混合比を０とすることがあってもよいし、静止補間回路による補間信号の混合比を０とすることがあってもよい。
【００５３】
第１実施形態の映像信号処理装置によれば、黒帯領域内に付加情報が重畳されていても黒帯領域が存在する範囲の誤検出を減少させて、実際に画像が存在する領域のみを対象として補間信号を生成することができる。よって、図４で説明したような誤補間はほとんど発生しない。
【００５４】
＜第２実施形態＞
図１０に示す第２実施形態の映像信号処理装置において、図１に示す第１実施形態の映像信号処理装置と同一部分には同一符号を付し、その説明を省略することがある。第２実施形態の映像信号処理装置は、分類信号Ｓ４を補間信号生成部５だけではなく動きベクトル検出部２にも供給して、分類信号Ｓ４によって分類された黒帯領域、準黒帯領域、実画像領域Ａimgに応じて、動きベクトルＭＶの検出処理を異ならせる。
【００５５】
動きベクトル検出部２は、フレームＦ０の黒帯領域内の画素に対する動きベクトルＭＶを動き０の静止ベクトルとする。
【００５６】
動きベクトル検出部２は、フレームＦ０の準黒帯領域内の画素に対する動きベクトルＭＶを検出するときには、次のようにして動きベクトルＭＶを検出する。フレームＦ０及びＦ１における準黒帯領域内の同じ画素位置の画素がいずれも黒であれば準黒帯領域は黒帯領域とみなすことができる。そこで、動きベクトル検出部２は、フレームＦ０の準黒帯領域内の画素に対する動きベクトルＭＶを動き０の静止ベクトルとする。
【００５７】
フレームＦ０及びＦ１における準黒帯領域内の同じ画素位置の画素のいずれかが黒でなければ準黒帯領域は黒帯領域とみなすことができない。そこで、動きベクトル検出部２は、フレームＦ１における準黒帯領域または実画像領域Ａimg内の画素を用いて動きベクトルＭＶを検出する。動きベクトル検出部２は、フレームＦ１における黒帯領域内の画素を用いて動きベクトルＭＶを検出しない。
【００５８】
準黒帯領域が黒帯領域である可能性を考慮して、動きベクトル検出部２は、動き０の静止ベクトルを検出しやすいようにしてもよい。例えば、動きベクトル検出部２は、フレームＦ０及びＦ１における画素の差分値が所定の閾値以上であれば静止ベクトルとする。閾値を小さくすればするほど、静止ベクトルが検出されやすくなる。
【００５９】
動きベクトル検出部２は、フレームＦ０の実画像領域Ａimg内の画素に対する動きベクトルＭＶを検出するときには、フレームＦ１における実画像領域Ａimg内の画素を用いて動きベクトルＭＶを検出する。このとき、動きベクトル検出部２は、フレームＦ１における黒帯領域及び準黒帯領域内の画素を用いて動きベクトルＭＶを検出しない。
【００６０】
または、動きベクトル検出部２は、準黒帯領域が黒帯領域とみなすことができる場合には準黒帯領域内の画素を用いて動きベクトルＭＶを検出せず、準黒帯領域が黒帯領域とみなすことができない場合には準黒帯領域内の画素を用いて動きベクトルＭＶを検出してもよい。
【００６１】
第２実施形態の映像信号処理装置によれば、補間信号生成部５における補間信号の生成処理だけではなく、動きベクトル検出部２における動きベクトルＭＶの検出処理においても、黒帯領域、準黒帯領域、実画像領域Ａimgで処理を異ならせている。よって、第１実施形態の映像信号処理装置よりもさらに誤補間の発生を防ぐことができる。
【００６２】
＜第３実施形態＞
図１１に示す第３実施形態の映像信号処理装置は、映像信号Ｓｉｎに補間信号生成処理以外の信号処理を施す信号処理部５０を備える。図１１において、信号処理部５０入力された映像信号Ｓｉｎを処理して映像信号Ｓｏｕｔを出力する。黒帯検出部３及び領域分類部４の動作は、図１及び図１０と同じである。領域分類部４は、分類信号Ｓ４を信号処理部５０に供給する。
【００６３】
一例として、信号処理部５０は、映像信号Ｓｉｎの輝度または色を補正する信号処理部である。信号処理部５０は、分類信号Ｓ４に基づいて、実画像領域Ａimg内のみで輝度または色を補正することができる。信号処理部５０は、準黒帯領域が実際には黒帯領域ではないときに、準黒帯領域内の輝度または色を補正してもよい。信号処理部５０は、黒帯領域を輝度または色を補正する対象から外すことができる。
【００６４】
他の例として、信号処理部５０は、実画像領域Ａimgの平均輝度を算出する回路であってもよい。さらに他の例として、信号処理部５０は、映像信号Ｓｉｎの画像内容を分析するために、実画像領域Ａimg内の画素信号を用いてヒストグラムを検出する回路であってもよい。これらの場合、信号処理部５０は映像信号Ｓｏｕｔを出力する代わりに、算出した平均輝度値または検出したヒストグラムを出力する。
【００６５】
以上のように、第１〜第３実施形態の映像信号処理装置によれば、黒帯領域内に付加情報が重畳されていても黒帯領域が存在する範囲の誤検出を減少させて、実際に画像が存在する領域のみを対象として映像信号を処理することができる。
【００６６】
本発明は以上説明した第１〜第３実施形態に限定されるものではなく、本発明の要旨を逸脱しない範囲において種々変更可能である。第１〜第３実施形態において黒帯と表現したが、黒帯に相当する部分は完全に黒である必要はなく、グレーであって輝度が一様な状態も黒帯に含まれる。
【符号の説明】
【００６７】
１  フレームメモリ
２  動きベクトル検出部
３  黒帯検出部
４  領域分類部
５  補間信号生成部（信号処理部）
５０  信号処理部
【図１】
2019062365.tif 000003
【図２】
2019062365.tif 000004
【図３】
2019062365.tif 000005
【図４】
2019062365.tif 000006
【図５】
2019062365.tif 000007
【図６】
2019062365.tif 000008
【図７】
2019062365.tif 000009
【図８】
2019062365.tif 000010
【図９】
2019062365.tif 000011
【図１０】
2019062365.tif 000012
【図１１】
2019062365.tif 000013